(57)【要約】      （修正有）【課題】携帯電話などのハンドヘルド装置と組み合わせた使用範囲の広い利便性の高いスキャナを提供する。【解決手段】スキャナ１０のスキャナ本体１１に携帯電話などのハンドヘルド装置の固定部材２０ａ、電気接続部材４１ａを設けて、表示器３１、プッシュボタン組３２等の入力手段を具えた携帯端末などのハンドヘルド装置３０を固定部材上に固定し、電気接続部材で相互に接続して、スキャナの表示、入力手段とする。スキャナが内蔵するバーコード読み取りモジュールで読み取ったバーコードデータは、電気接続部材を通してハンドヘルド装置に直接入力され、表示される。【選択図】図２
0003193054.tif 000002
【実用新案登録請求の範囲】
【請求項１】
表示器を具えるハンドヘルド装置に電気接続するスキャナであって、
上記スキャナは、スキャナ本体の殻体及び該殻体内に収納されたバーコードデータ読取りモジュール、及び該本体から延長して形成された把手を具え、
該殻体上に間隔を置いて設けた一対の立壁と殻体上面によりハンドヘルド装置の収容空間を形成すると共に、該空間内に収容されるハンドヘルド装置の固定部材を設け、
さらに、上記バーコードデータ読取りモジュールと該ハンドヘルド装置とを電気的に接続する導電線及びコネクタを設けて、
該バーコードデータ読取りモジュールによって読み取ったバーコードデータをハンドヘルド装置の表示器に表示させるようにした、
スキャナ。
【請求項２】
前記殻体は、把手を設ける接続面に相対してハンドヘルド装置を収容固定する側の接続面を設けて上記固定部材を該取り付け面に設置した、
請求項１に記載のスキャナ。
【請求項３】
前記一対の立壁は、該取り付け面から凸出して延長形成されて上記取り付け面を囲んで、上記ハンドヘルド装置の収容空間を形成した、
請求項２に記載のスキャナ。
【請求項４】
上記収容空間に替えて、
前記固定部材に底板を設けて、該底板の相対する２辺縁から一対の立壁を設けて該底板及び該一対の立壁で囲うハンドヘルド装置の収容空間を形成すると共に、
該固定部材を該底板により上記殻体の取り付け面に固定するようにした、
請求項２に記載のスキャナ。
【請求項５】
前記取り付け面は、少なくとも１つの固定柱を凸伸し、上記底板には、これに対応する固定孔を設けて、該固定柱を該固定孔に貫通して固定するようにした請求項４に記載のスキャナ。
【請求項６】
前記殻体の取り付け面には、間隔を設けて配置されたスライドレールを凸伸形成し、前記固定部材の底板には、それぞれ該スライドレールに嵌合して滑動し、固定させる滑動路を開設した請求項４に記載のスキャナ。
【請求項７】
前記固定部材は、更に螺合部材を具え、前記殻体の取り付け面には、これに対応して螺合孔を開設し、該底板にはこれらに対応する貫通孔を開設して、該螺合部材は、該貫通孔を貫通接続して該螺合孔内に螺合される請求項４に記載のスキャナ。
【請求項８】
各前記立壁は、該取り付け空間側に向けて延伸して折れ縁を湾折形成した請求項３又は請求項４に記載のスキャナ。
【請求項９】
前記取り付け面は、該導電線を収容設置する少なくとも１つの凹溝を開設した請求項２に記載のスキャナ。
【請求項１０】
前記スキャナ本体１１は、更に殻体内に磁性ブロックを具え、ハンドヘルド装置との接続を開放されたコネクタを取り付け面に吸着固定させることに用いる請求項２に記載のスキャナ。
【請求項１１】
前記取り付け面及び該把手の中心線の間に挟み角を形成し、該挟み角は、９０度未満である請求項２に記載のスキャナ。
【請求項１２】
表示器及び無線受信モジュールを具えるハンドヘルド装置に電気接続するスキャナであって、
上記スキャナは、スキャナ本体の殻体及び該殻体内に収納されたバーコードデータ読取りモジュール、及び該本体から延長して形成された把手を具え、
該殻体上に間隔を置いて設けた一対の立壁と殻体上面によりハンドヘルド装置の収容空間を形成すると共に、該空間内に収容されるハンドヘルド装置の固定部材を設け、
さらに、該殻体内に無線発信モジュールを設けて
該バーコードデータ読取りモジュールによって読み取ったバーコードデータを該無線発信モジュールを介して前記ハンドヘルド装置の無線受信モジュールに伝送し、ハンドヘルド装置の表示器に表示させるようにした、
スキャナ。
【考案の詳細な説明】
【技術分野】
【０００１】
本考案は、スキャナ機器に関し、特に、ハンドヘルド装置と電気接続するスキャナに関する。
【背景技術】
【０００２】
スキャナの日常生活の買い物における使用は、非常に普遍なものであり、主に消費者が購入した物品のバーコードデータを読み取り、コンピュータディスプレイ上に物品の価格を表示し、コンピュータホスト内に実装した計算ソフトウェアにより消費者が購入した各物品の総額を算出し、販売スタッフが消費者から購入物品の金額を受け取ることができ、また、スキャナにより物品上に貼付されたバーコードデータを読み取る機能により、スキャナを倉庫の入荷、出荷の管理に応用することも可能になっている。
【０００３】
しかしながら、従来のスキャナは、コンピュータと組み合わせて初めて実際の効用を発揮することができ、スキャナと組み合わせる装置のコストが高過ぎる欠点があったので、科学技術の進歩に従い、スキャナ使用の利便性を向上する為、業者は、表示器をスキャナ上に設置して、スキャナがバーコードデータにバーコードデータを読み取らせた後、そのバーコードデータを直接表示器上に表示し、これにより、コンピュータを購入するコストを節約し、また、改良後のスキャナは、携帯性を有し、使用者の移動に伴うことができ、離れて設置され且つ体積が大きな物品に対してバーコードデータの読み取りを行うことができ、スキャナの応用範囲を更に拡大させている。
【０００４】
但し、改良後のスキャナは、依然として以下の欠陥を有し、その表示モジュールがスキャナ内に製造されるプロセス設計費用が崇高であり、且つモジュールの設計が容易でなく、スキャナに対して別途の機能を追加することが困難であるので、改善が期待されている。
【先行技術文献】
【特許文献】
【０００５】
【特許文献１】特開平８−２５１３７８号公報
【考案の概要】
【考案が解決しようとする課題】
【０００６】
本考案の目的は、固定部材を利用してハンドヘルド装置をスキャナ本体に固定し、且つ電気接続部材を介してハンドヘルド装置及びスキャナ本体を電気接続し、ハンドヘルド装置にスキャナが読み取ったバーコードデータを表示させるスキャナを提供することにある。
【課題を解決するための手段】
【０００７】
上記の目的を達成する為、本考案は、スキャナを提供し、ハンドヘルド装置に電気接続し、前記ハンドヘルド装置は、表示器を有し、該スキャナは、スキャナ本体、把手、固定部材及び電気接続部材からなり、該スキャナ本体は、殻体及び該殻体内に設けられ且つバーコードデータの対応する情報を読み取ることに用いるバーコードデータ読み取りモジュールを具え、該把手は、該スキャナ本体から延伸成型され、該固定部材は、該殻体に設置され且つ間隔を呈して配置される一対の立壁を有し、該一対の立壁の間に取り付け空間を形成し、前記ハンドヘルド装置は、該取り付け空間内に収容され、該電気接続部材は、導電線及びコネクタを含み、該導電線の一端は、該殻体内に固定され且つ該バーコードデータ読み取りモジュールに電気接続し、他端は、該コネクタに電気接続し、該コネクタは、前記ハンドヘルド装置に電気接続し、前記表示器に該バーコードデータ読み取りモジュールが読み取ったバーコードデータを表示させることができる。
【０００８】
上記の目的を達成する為、本考案は、ハンドヘルド装置に電気接続し、前記ハンドヘルド装置は、表示器及び無線受信モジュールを有し、該スキャナは、スキャナ本体及び把手、固定部材及び電気接続部材を含み、該スキャナ本体は、殻体及び該殻体内に設けられ且つバーコードデータを読み取ることに用いるバーコードデータ読み取りモジュールを含み、該把手は、該スキャナ本体から延伸成型され、該固定部材は、該殻体に設置され且つ間隔を呈して配置される一対の立壁を有し、該一対の立壁の間に取り付け空間を形成し、前記ハンドヘルド装置は、該取り付け空間内に収容され、該電気接続部材は、該殻体内に設置される無線発信モジュールを含み、該バーコードデータ読み取りモジュールが読み取ったバーコードデータは、該無線発信モジュールを介して該無線受信モジュールに伝送し、前記表示器によって表示する。
【考案の効果】
【０００９】
本考案は、以下の効果を有し、第１点として、ハンドヘルド装置を用いてバーコードデータの記録、表示又は入力を行うことができることによって、デスクトップ型ホストコンピュータ及びディスプレイに係るコストを節減することができ、第２点として、固定部材によりハンドヘルド装置を殻体上に固定し、表示モジュールをスキャナ内に直接製作する複雑な設計費用、モールド費用及び表示モジュールの材料費を節減し、第３点として、異なる要求に合わせ、異なるアプリケーションソフトウェアを実装したハンドヘルド装置を選択することができ、スキャナの使用範囲を更に広くし、且つスキャナのアプリケーションを容易に増加できる機能を有し、第４点として、殻体の取り付け面を斜面とする設計を利用し、そのハンドヘルド装置の中心線がスキャナの把手の中心線と９０℃未満の挟み角を呈することにより、使用者が表示器の表示するバーコードデータを容易に見ることができ、第５点として、電気接続部材の導電線を取り付け面の凹溝内に収容することによって、導電線を収納し且つ導電線が任意に動かされることを回避する効果を達成し、第６点として、磁気ブロックを利用してコネクタを取り付け面に吸着固定し、コネクタの任意の振動を防止し、収納の機能を達成することができる。
【図面の簡単な説明】
【００１０】
【図１】本考案の第１実施例の説明図である。
【図２】本考案の第１実施例の立体分解図である。
【図３】本考案の第１実施例の断面説明図である。
【図４】本考案の第２実施例の説明図である。
【図５】本考案の第３実施例の立体分解図である。
【図６】本考案の第３実施例の局部拡大図１である。
【図７】本考案の第３実施例の局部拡大図２である。
【図８】本考案の第４実施例の立体分解図である。
【図９】本考案の第４実施例の局部拡大図である。
【図１０】本考案の第５実施例の立体分解図である。
【図１１】本考案の第６実施例の断面図である。
【考案を実施するための形態】
【００１１】
本考案の詳細な説明及び技術内容について、図面を合わせて以下に説明するが、図面は、参考及び説明に用いるものであって、本考案に制限を加えるものではない。
【００１２】
図１を参照する。本考案の第１実施例の説明図であり、本考案のスキャナは、スキャナ本体１１及び把手１２、固定部材２０ａ、ハンドヘルド装置３０及び電気接続部材４０ａからなる。
【００１３】
図２、図３を参照する。これらはそれぞれ本考案の第１実施例の立体分解図及び断面説明図であり、スキャナ本体１１は、殻体１１１、バーコードデータ読み取りモジュール１１２を含み、殻体１１１は、収容室１１１１を有し、バーコードデータ読み取りモジュール１１２は、殻体の収容室１１１１内に設置されて、バーコードデータの対応する情報を読み取る。また、殻体１１１は、相互に対応する取り付け面１１１２及び接続面１１１３を有し、把手１２は、接続面１１１３から延伸成型される。
【００１４】
固定部材２０ａは、殻体１１１の取り付け面１１１２から凸伸する一対の立壁２１ａを具え、該一対の立壁２１ａは、間隔を呈して配置され且つ取り付け面１１１２と囲うように取り付け空間２２ａを形成し、各立壁２１ａは、取り付け空間２２ａ側に向けて延伸した折れ縁２１１ａを湾折して形成する。  殻体１１１の取り付け面１１１２は、斜面であり、且つ少なくとも１つの凹溝１１１４を開設する。
【００１５】
ハンドヘルド装置３０は、固定部材２０ａに固定されて殻体１１１と接続し、固定部材２０ａの取り付け空間２２ａ内に嵌合され、各立壁２１ａの折れ縁２１１ａがハンドヘルド装置３０を係止してハンドヘルド装置３０を殻体１１１上に安定固定する。
ハンドヘルド装置３０は、表示器３１及びプッシュボタン組３２を有する携帯電話又はタブレットＰＣである。
【００１６】
電気接続部材４０ａは、導電線４１ａ及びコネクタ４２ａを具え、導電線４１ａ一端は、殻体１１１の収容室１１１１内に固定され且つバーコードデータ読み取りモジュール１１２に電気接続し、導電線４１ａの他端は、殻体１１１の外部に位置してコネクタ４２ａに電気接続し、導電線４１ａは、殻体１１１の凹溝１１１４内に収容設置され、また、コネクタ４２ａは、殻体１１１の外部に位置してハンドヘルド装置３０に電気接続する。
従ってバーコードデータ読み取りモジュール１１２は、電気接続部材４０ａによってハンドヘルド装置３０と電気接続して、表示器３１にバーコードデータ読み取りモジュール１１２に読み取られたバーコードデータを表示することができる。
ハンドヘルド装置３０のプッシュボタン組３２は、バーコードデータをハンドヘルド装置３０内に入力することができ、また、表示器３１は、タッチ式表示器であることもでき、故に、手指で表示器３１をタッチしてバーコードデータをハンドヘルド装置３０内に入力することができる。
また、ハンドヘルド装置３０の中心線Ｌ１及び把手１２の中心線Ｌ２の間に挟み角θを形成し、挟み角θは、９０度未満である。
【００１７】
組み立て時、先ず、ハンドヘルド装置３０を固定部材２０ａの取り付け空間２２ａ内に固定して、ハンドヘルド装置３０をスキャナ１０に固定させ、電気接続部材４０ａのコネクタ４２ａをハンドヘルド装置３０に電気接続し、ハンドヘルド装置３０をスキャナ本体１１内のバーコードデータ読み取りモジュール１１２と電気接続させる。
【００１８】
使用時、手でスキャナ１０の把手１２を掴持して、スキャナ１０をバーコードデータの表を貼付した物品付近に移動させ、スキャナ１０のバーコードデータ読み取りモジュール１１２に物品上のバーコードデータを読み取らせ、ハンドヘルド装置３０の表示器３１によりバーコードデータ表示することができる。バーコードデータ読み取りモジュール１１２が物品上のバーコードデータを読み取ることができないか、読み取りが円滑でない場合には、ハンドヘルド装置３０のプッシュボタン組によりバーコードデータをハンドヘルド装置３０内に入力して、表示器３１により表示することができる。
また、表示器３１がタッチ式表示器である場合には、手指で直接表示器３１にタッチして、バーコードデータをハンドヘルド装置３０内に入力することもでき、同様に表示器３１を用いてバーコードデータを表示することができるので、ハンドヘルド装置３０は、プッシュボタン組３２を必要とせずにバーコードデータをハンドヘルド装置３０内に入力することもできる。
ハンドヘルド装置３０の使用が普及し、且つ技術が成熟していることによって、ハンドヘルド装置３０を使用して、バーコードデータを記録、表示又は入力することができ、デスクトップ型ホストコンピュータ及びモニターのコストを節減することができる。
【００１９】
また、固定部材２０ａによりハンドヘルド装置３０を殻体１１１上に固定して利用することにより、表示モジュールを直接スキャナ１０内に組み込んで制作する複雑な設計費用、モールド費用及び表示モジュールの材料費を節減することができる。
【００２０】
また、異なる要求に合わせ、異なるアプリケーションソフトウェアを実装したハンドヘルド装置３０を選択することができ、スキャナ１０の使用範囲を更に広くし、且つスキャナ１０のアプリケーション機能を容易に増加できる効果を有する。
【００２１】
また、殻体１１１の取り付け面１１１２を斜面とする構造により、そのハンドヘルド装置３０の中心線Ｌ１がスキャナ１０の把手１２の中心線Ｌ２と９０℃未満の挟み角を呈するようにして、スキャナ１０が物品上のバーコードを走査する時、ハンドヘルド装置３０の表示器３１に表示されるバーコードデータを容易に見ることができる。
【００２２】
さらに、電気接続部材４０ａの導電線４１ａを取り付け面１１１２の凹溝１１１４内に収容することによって、導電線４１ａを収納してハンドヘルド装置３０の取り付けに際して導電線４１ａが支障をきたさないようにする効果を達成する。
【００２３】
図４を参照する。  本考案の第２実施例の説明図であり、前記実施例との主な差異は、スキャナ本体１１が更に磁性ブロック１１３を具え、磁性ブロック１１３は、殻体１１１の収容室１１１１内に取り付けられる。
コネクタ４２ａは、磁性金属部材であり、ハンドヘルド３０を殻体１１１から分離した後、フリーとなったコネクタ４２ａを磁性ブロック１１３により取り付け面１１１２に吸着固定することにより、コネクタ４２ａが邪魔にならないように保持する機能を達成することにある。
【００２４】
図５〜図７を参照する。本考案の第３実施例の立体分解図、局部拡大図１及び局部拡大図２であり、前記各実施例の主な差異は、殻体１１１の取り付け面１１１２に間隔を設けて配置されるスライドレール１１１５を凸伸したこと、及び固定部材２０ａを固定部材２０ｂに変換したことにある。
【００２５】
固定部材２０ｂは、底板２０１ｂ及び一対の立壁２１ｂを具え、該一対の立壁２１ｂは、それぞれ底板２０１ｂの相対する２つの辺縁から延伸し、底板２０１ｂ及び該一対の立壁２１ｂの間にハンドヘルド装置３０を嵌合させる取り付け空間２２ｂを形成する。  
各立壁２１ｂは、取り付け空間２２ｂ側に向けて折れ縁２１１ｂを湾折して形成し（図１１参照）、各折れ縁２１１ｂ（図１１参照）によって、ハンドヘルド装置３０を係止する。
底板２０１ｂには、それぞれ前記スライドレール１１１５に沿って滑動固定させる滑動路２０１１を開設し、これにより、固定部材２０ｂの底板２０１ｂを殻体１１１の取り付け面１１１２に固定する。該スライドレール１１１５及び該滑動路２０１１は、図５に示すようにそれぞれ対になって設置されて更に良好な固定効果を得ることもできるが、実際の実施方式は、これに限定するものではない。
【００２６】
固定部材２０ｂは、底板２０１ｂの各滑動路２０１１により取り付け面１１１２の各スライドレール１１１５に沿って滑動接続し、取り付け面１１１１上に固定されるので、固定部材２０ｂを殻体１１１の取り付け面１１１２から分離することもでき、固定部材２０ｂをハンドヘルド装置３０の保護殻として用いることもできる。
【００２７】
また、異なる規格寸法のハンドヘルド装置３０に対応して固定部材２０ｂを製造することができ、異なる規格の寸法のハンドヘルド装置３０、例えば、Ａｐｐｌｅ（登録商標）、ＨＴＣ（登録商標）のハンドヘルド装置に対しても単に適合する固定部材２０ｂを選択することでスキャナ１０を取り付け、スキャナ１０の実用性を向上させることができる。
【００２８】
図８及び図９を参照する。それぞれ本考案の第４実施例の立体分解図及び局部拡大図であり、前記各実施例の区別は、該一対のスライドレール１１１５を少なくとも１つの固定柱１１１６に変更し、底板２０１ｂの該一対の滑動路２０１１を少なくとも１つの固定孔２０１２に変更し、固定柱１１１６は、固定孔２０１２内に貫通固定されることにある。これにより、固定柱１１１６は固定孔２０１２内に貫通して固定され、固定部材２０ｂを殻体１１１の取り付け面１１１１に安定固定する効果を達成することもできる。
【００２９】
図１０は、本考案の第５実施例の立体分解図であり、前記各実施例の主な区別は、電気接続部材４０ａを電気接続部材４０ｂに変更し、電気接続部材４０ｂは、無線発信モジュール４１ｂを具え、ハンドヘルド装置３０は、更に無線受信モジュール４２ｂを有し、無線発信モジュール４１ｂは、殻体１１１の収容室１１１１内に設置され、無線受信モジュール４２ｂは、ハンドヘルド装置３０内に設置され、バーコードデータ読み取りモジュール１１２が読み取ったバーコードデータを無線発信モジュール４１ｂによって信号に変換し、無線受信モジュール４２ｂに伝達し、更に、ハンドヘルド装置３０のデコーディングを経てバーコードデータを表示器３１に表示することにあり、従って、スキャナ１０は、無線方式を用いてバーコードデータをハンドヘルド装置３０に伝達することもできる。
【００３０】
図１１を参照する。本考案の第６実施例の断面図であり、前記各実施例との主な区別は、殻体１１１の固定柱を少なくとも１つの螺子孔１１１７に変更し、底板２１０ｂの固定孔２０１２を少なくとも１つの貫通孔２０１３に変更し、固定部材２０ｂは、更に、少なくとも１つの螺子固定部材２３を具え、螺子孔１１１７は、殻体１１１の取り付け面１１１２に開設され、貫通孔２０１３は、底板２０１ｂに開設され、螺合部材２３は、底板２０１ｂの貫通孔２０１３に貫通接続され、殻体１１１の螺子孔１１１７内に螺合されることにあり、従って、螺合部材を介して固定部材２０ｂを殻体１１１の取り付け面１１１２に固定する。螺合部材は、螺子である。
【００３１】
上記のように、本考案のスキャナは、産業利用性、新規性及び進歩性を有しており、本考案の構造は、同類製品及び公開使用がみられず、実用新案要件に完全に適合している。
【符号の説明】
【００３２】
１０  スキャナ
１１  スキャナ本体
１１１  殻体
１１１１  収容室
１１１２  取り付け面
１１１３  接続面
１１１４  凹溝
１１１５  スライドレール
１１１６  固定柱
１１１７  螺子孔
１１２  バーコード読み取りモジュール
１１３  磁性ブロック
１２  把手
２０ａ、２０ｂ  固定部材
２０１ｂ  底板
２０１１  滑動路
２０１２  固定孔
２０１３  貫通孔
２１ａ，２１ｂ  立壁
２１１ａ，２１１ｂ  折れ縁
２２ａ，２２ｂ  取り付け空間
２３  螺合部材
３０  ハンドヘルド装置
３１  表示器
３２  プッシュボタン組
４０ａ，４０ｂ  電気接続部材
４１ａ  導電線
４１ｂ  無線発信モジュール
４２ａ  コネクタ
４２ｂ  無線受信モジュール
Ｌ１，Ｌ２  中心線
θ  挟み角
【図１】
0003193054.tif 000003
【図２】
0003193054.tif 000004
【図３】
0003193054.tif 000005
【図４】
0003193054.tif 000006
【図５】
0003193054.tif 000007
【図６】
0003193054.tif 000008
【図７】
0003193054.tif 000009
【図８】
0003193054.tif 000010
【図９】
0003193054.tif 000011
【図１０】
0003193054.tif 000012
【図１１】
0003193054.tif 000013